(57)【要約】【課題】ツマミの先端に連結されたストッパープレートを操作リング又は鏡筒本体に形成された溝の内壁面に押し付けて操作リングをロックすることにより、鏡筒等に変形を生じさせずに確実に操作リングをロックできるレンズ鏡筒を提供する。【解決手段】鏡筒本体１２に形成されたネジ穴５４Ａにネジ部６０Ａが螺合されたフォーカスリングロックツマミ５８Ａを鏡筒本体１２から外す方向に回転させると、フォーカスリングロックツマミ５８Ａの先端に連結されたストッパープレート６４Ａを引き上げられ、フォーカスリング３６に形成された溝６８Ａの内壁面に押し付けられる。フォーカスリング３６は、このストッパープレート６４Ａと溝６８Ａとの摩擦力で回転がロックされる。【選択図】　　　図１
2004054186.tif 000002
【特許請求の範囲】
【請求項１】
鏡筒本体の外周に操作リングが回動自在に設けられたレンズ鏡筒において、
前記鏡筒本体の外周部に形成されたネジ穴と、
前記ネジ穴にネジ部が螺合されたツマミと、
前記ツマミのネジ部先端に連結されたストッパープレートと、
前記操作リングの端面に周方向に沿って形成され、前記ストッパープレートが遊嵌される溝と、
を備え、前記ツマミを回して前記ストッパープレートを前記溝の内壁面に押し付けることにより、前記操作リングをロックすることを特徴とするレンズ鏡筒。
【請求項２】
鏡筒本体の外周に操作リングが回動自在に設けられたレンズ鏡筒において、
前記操作リングの外周部に形成されたネジ穴と、
前記ネジ穴にネジ部が螺合されたツマミと、
前記ツマミのネジ部先端に連結されたストッパープレートと、
前記鏡筒本体の端面に周方向に沿って形成され、前記ストッパープレートが遊嵌される溝と、
を備え、前記ツマミを回して前記ストッパープレートを前記溝の内壁面に押し付けることにより、前記操作リングをロックすることを特徴とするレンズ鏡筒。
【発明の詳細な説明】
【０００１】
【発明の属する技術分野】
本発明はレンズ鏡筒に係り、特に鏡筒の外周部にフォーカスリングやズームリング、絞りリング等の回動自在な操作リングを備えたレンズ鏡筒に関する。
【０００２】
【従来の技術】
フォーカス操作やズーム操作等を手動で行なう監視カメラのレンズ鏡筒には、鏡筒本体の外周部にフォーカスリングやズームリング等の操作リングが回動自在に設けられており、この操作リングを回動操作することにより、フォーカシングやズーミングが行なわれる。この操作リングには、ピントを固定して撮影したり、焦点距離を固定して撮影したりする際に、不用意に回転しないようにするために、ロック機構が設けられている。
【０００３】
従来の操作リングのロック機構は、鏡筒本体に螺合されたツマミを鏡筒本体に向けてねじ込むことにより、ツマミの先端部で操作リングを押し付けて操作リングをロックしていた。あるいは、操作リングに螺合されたツマミを操作リングに向けてねじ込むことにより、ツマミの先端部で鏡筒本体を押し付けて操作リングをロックしていた。また、特開平９−２８１５４６公報では、レンズ鏡筒に揺動自在に設けられた絞りレバーをロックする機構として、絞りレバーにツマミを螺合させ、そのツマミをねじ込むことにより、ツマミの先端部をレンズ鏡筒内に配設された絞り枠に押し付けて、絞りレバーをロックしている。
【０００４】
【発明が解決しようとする課題】
しかしながら、螺合されたツマミの先端部を鏡筒本体又は操作リングに押し付けてロックする従来のロック機構では、ツマミの押圧部の接触面積が小さいため、十分な摩擦力を得ることができず、強く締め付けないと簡単に回転してしまうという欠点があった。その一方でツマミで強く締め付けると、ツマミの接触面積が小さいために局所的に大きな力がかかり、鏡筒本体又は操作リングが変形して、光学系に悪影響を及ぼすという欠点があった。
【０００５】
また、従来のロック機構では、螺合されたツマミの抜けを防止するために、ワッシャー等の抜け止めが別途必要になるという欠点もあった。
【０００６】
本発明は、このような事情に鑑みてなされたもので、鏡筒等に変形を生じさせずに確実に操作リングをロックできるレンズ鏡筒を提供することを目的とする。
【０００７】
【課題を解決するための手段】
請求項１に係る発明は、前記目的を達成するために、鏡筒本体の外周に操作リングが回動自在に設けられたレンズ鏡筒において、前記鏡筒本体の外周部に形成されたネジ穴と、前記ネジ穴にネジ部が螺合されたツマミと、前記ツマミのネジ部先端に連結されたストッパープレートと、前記操作リングの端面に周方向に沿って形成され、前記ストッパープレートが遊嵌される溝と、を備え、前記ツマミを回して前記ストッパープレートを前記溝の内壁面に押し付けることにより、前記操作リングをロックすることを特徴とするレンズ鏡筒を提供する。
【０００８】
また、請求項２に係る発明は、前記目的を達成するために、鏡筒本体の外周に操作リングが回動自在に設けられたレンズ鏡筒において、前記操作リングの外周部に形成されたネジ穴と、前記ネジ穴にネジ部が螺合されたツマミと、前記ツマミのネジ部先端に連結されたストッパープレートと、前記鏡筒本体の端面に周方向に沿って形成され、前記ストッパープレートが遊嵌される溝と、を備え、前記ツマミを回して前記ストッパープレートを前記溝の内壁面に押し付けることにより、前記操作リングをロックすることを特徴とするレンズ鏡筒を提供する。
【０００９】
本発明によれば、鏡筒本体又は操作リングに設けられたツマミを回転させることにより、そのツマミのネジ部先端に連結されたストッパープレートを操作リング又は鏡筒本体に形成された溝の内壁面に押し付けて操作リングをロックする。この際、ストッパープレートは、ネジ部の先端に比して十分広い面積で操作リングと接触するため、十分な操作リング又は鏡筒本体との間で摩擦力を確保することができ、確実に操作リングの回転をロックすることができる。また、十分に広い面積で操作リング又は鏡筒本体と接触するため、操作リング又は鏡筒本体に加わる力が低くなる。これにより、操作リングや鏡筒本体の変形を防止でき、光学系に与える影響を抑止できる。
【００１０】
【発明の実施の形態】
以下、添付図面に従って本発明に係るレンズ鏡筒の好ましい実施の形態について詳述する。
【００１１】
図１は本発明に係るレンズ鏡筒の第１の実施の形態の構成を示す断面図である。このレンズ鏡筒１０は監視カメラに装着されるレンズ鏡筒であり、その鏡筒本体１２内には撮影光軸Ｌに沿ってフォーカスレンズ１４とズームレンズ１６が配置されている。フォーカスレンズ１４とズームレンズ１６の間にはアイリス１８が配置されており、アイリス１８は鏡筒本体外に設けられたアイリスメータ２０に駆動されて作動する。
【００１２】
鏡筒本体１２は、第１鏡筒２２と第２鏡筒２４とで構成されており、第１鏡筒２２と第２鏡筒２４は、スリップ機構２５を介して互いに光軸Ｌを中心に回動自在に連結されている。また、第２鏡筒２４の後端部にはマウント環２６が連結されており、鏡筒本体１２は、このマウント環２６を介して図示しない監視カメラに装着される。
【００１３】
フォーカスレンズ１４は、フォーカスレンズ枠２８に保持されて第１鏡筒２２内に配置されている。フォーカスレンズ枠２８の外周部３箇所には等間隔にカム部材３０が突設されており（図では１つのみ記載）、各カム部材３０は、それぞれ第１鏡胴２２に形成された３本の直進溝３２に嵌合されている。この３本の直進溝３２は、それぞれ光軸Ｌに沿って形成されている。
【００１４】
また、各カム部材３０の先端にはカムピン３４が立設されており、カムピン３４は直進溝３２を介して第１鏡筒２２の外周部から突出して設けられている。この第１鏡筒２２の外周部には、フォーカスリング３６が回動自在に支持されており、各カムピン３４は、このフォーカスリング３６の内周部に形成された３本のカム溝３８に嵌合されている。
【００１５】
したがって、フォーカスリング３６を回転させると、カム溝３８に規制される軌跡に沿ってフォーカスレンズ１４が光軸Ｌに沿って前後移動し、これによりフォーカシングが行なわれる。
【００１６】
ズームレンズ１６は、ズームレンズ枠４０に保持されて第２鏡筒２４内に配置されている。ズームレンズ枠４０の外周部３箇所には等間隔にカム部材４２が突設されており（図では１つのみ記載）、各カム部材４２は、第２鏡胴２４に形成された３本の直進溝４３に嵌合されている。この３本の直進溝４３は、それぞれ光軸Ｌに沿って形成されている。
【００１７】
また、各カム部材４２の先端にはカムピン４６が立設されており、カムピン４６は直進溝４３を介して第２鏡筒２４の外周部から突出して設けられている。この第２鏡筒２４の外周部には、ズームリング４４が回動自在に支持されており、各カムピン４６は、このズームリング４４の内周部に形成された３本のカム溝４８に嵌合されている。
【００１８】
したがって、ズームリング４４を回転させると、カム溝４８に規制される軌跡に沿ってズームレンズ１６が光軸Ｌに沿って前後移動し、これによりズーミングが行なわれる。
【００１９】
以上のように、レンズ鏡筒１０は、鏡筒本体１２の外周部に回動自在に設けられたフォーカスリング３６とズームリング４４を回転操作することにより、フォーカシングとズーミングが行なわれる。このフォーカスリング３６とズームリング４４には、それぞれフォーカスリングロック機構５０Ａとズームリングロック機構５０Ｂが設けられている。
【００２０】
まず、フォーカスリングロック機構５０Ａの構成について説明する。図１に示すように、鏡筒本体１２を構成する第１鏡筒２２の後端部外周にはフランジ５２が形成されている。このフランジ５２の外周部にはネジ穴５４Ａが形成されており、ネジ穴５４Ａは、フランジ５２の先端面に形成された円弧状の凹部５６Ａに貫通して形成されている。
【００２１】
ネジ穴５４Ａにはフォーカスリングロックツマミ５８Ａのネジ部６０Ａが螺合されており、ネジ部６０Ａの先端には先端部が拡径して形成された軸部６２Ａが形成されている。そして、この軸部６２Ａには、フランジ５２の凹部５６Ａ内に収容されたストッパープレート６４Ａが回動自在に支持されている。ストッパープレート６４Ａは、図２に示すように、円弧状に形成されており、図１に示すように、フランジ５２の先端面から前方に向けて突出して設けられている。
【００２２】
一方、フォーカスリング３６の後端部外周にはフランジ６６Ａが形成されており、フランジ６６Ａの後端面には周方向に沿って円弧状の溝６８Ａが形成されている。この溝６８Ａは、フォーカスリング３６の回動範囲に対応して形成されており、ストッパープレート６４Ａの先端部は、この溝６８Ａ内に遊嵌されている。
【００２３】
フォーカスリングロック機構５０Ａは以上のように構成される。フォーカスリング３６をロックする場合は、フォーカスリングロックツマミ５８Ａをネジ穴５４Ａから外す方向に回転させる。これにより、ストッパープレート６４Ａが溝６８Ａ内を外側に向かって移動し、図３（ｂ）に示すように、溝６８Ａの内壁面に当接する。フォーカスリング３６は、このストッパープレート６４Ａと溝６８Ａの内壁面との摩擦によりロックされる。
【００２４】
なお、ロック解除は、フォーカスリングロックツマミ５８Ａをネジ穴５４Ａに捻じ込むことにより行なう。これにより、ストッパープレート６４Ａが溝６８Ａ内を内側に向かって移動し、図３（ａ）に示すように、溝６８Ａの内壁面との接触が解除されて、ロックが解除される。
【００２５】
次に、ズームリングロック機構５０Ｂの構成について説明する。図１に示すように、第１鏡筒２２の後端部外周に形成されたフランジ５２の外周部には、ネジ穴５４Ａと並設してネジ穴５４Ｂが形成されている。このネジ穴５４Ｂはフランジ５２の後端面に形成された円弧状の凹部５６Ｂに貫通して形成されている。
【００２６】
ネジ穴５４Ｂにはズームリングロックツマミ５８Ｂのネジ部６０Ｂが螺合されており、ネジ部６０Ｂの先端には、先端部が拡径して形成された軸部６２Ｂが形成されている。そして、この軸部６２Ｂにはフランジ５２の凹部５６Ｂ内に収容されたストッパープレート６４Ｂが回動自在に支持されている。ストッパープレート６４Ｂは、円弧状に形成されており、図１に示すように、フランジ５２の後端面から後方に向けて突出して設けられている。
【００２７】
一方、ズームリング４４の外周にはフランジ６６Ｂが形成されており、フランジ６６Ｂの先端面には周方向に沿って円弧状の溝６８Ｂが形成されている。この溝６８Ｂは、ズームリング４４の回動範囲に対応して形成されており、ストッパープレート６４Ｂの先端部は、この溝６８Ｂ内に遊嵌されている。
【００２８】
ズームリングロック機構５０Ｂは以上のように構成される。ズームリング４４をロックする場合は、ズームリングロックツマミ５８Ｂをネジ穴５４Ｂから外す方向に回転させる。これにより、ストッパープレート６４Ｂが溝６８Ｂ内を外側に向かって移動し、図３（ｂ）に示すように、溝６８Ｂの内壁面に当接する。ズームリング４４は、このストッパープレート６４Ｂと溝６８Ｂの内壁面との摩擦によりロックされる。
【００２９】
なお、ロック解除は、ズームリングロックツマミ５８Ｂをネジ穴５４Ｂに捻じ込むことにより行なう。これにより、ストッパープレート６４Ｂが溝６８Ｂ内を内側に向かって移動し、図３（ａ）に示すように、溝６８Ｂの内壁面との接触が解除されて、ロックが解除される。
【００３０】
以上説明したように、本実施の形態のレンズ鏡筒１０によれば、ツマミ５８Ａ、５８Ｂの先端に設けられたストッパープレート６４Ａ、６４Ｂをフォーカスリング３６とズームリング４４に形成された溝６８Ａ、６８Ｂの内壁面に当接させて、フォーカスリング３６とズームリング４４をロックする。このように、ストッパープレート６４Ａ、６４Ｂを用いることにより、当接されるフォーカスリング３６及びズームリング４４に対して十分な接触面積を確保することができる。これにより、十分な摩擦力を確保することができ、フォーカスリング３６とズームリング４４を確実にロックすることができる。
【００３１】
また、広い面積で押し当てることにより、フォーカスリング３６及びズームリング４４に加わる圧力を少なくでき、フォーカスリング３６やズームリング４４、鏡筒本体１２の変形を防ぐことができる。
【００３２】
さらに、ストッパープレート６４Ａ、６４Ｂは、フォーカスリングロックツマミ５８Ａとズームリングロックツマミ５８Ｂの抜け止めの作用もあり、フォーカスリングロックツマミ５８Ａとズームリングロックツマミ５８Ｂの抜け止めを別途設ける必要がない。
【００３３】
図４は、本発明に係るレンズ鏡筒の第２の実施の形態の要部の構成を示す断面図である。
【００３４】
本実施の形態のレンズ鏡筒では、フォーカスリングロック機構７０Ａのフォーカスリングロックツマミ７８Ａがフォーカスリング３６に設けられており、ズームリングロック機構７０Ｂのズームリングロックツマミ７８Ｂがズームリング４４に設けられている。なお、このフォーカスリングロック機構７０Ａとズームリングロック機構７０Ｂの構成以外は、上述した第１の実施の形態のレンズ鏡筒１０と同じなので、ここでは、このフォーカスリングロック機構７０Ａとズームリングロック機構７０Ｂの構成についてのみ説明する。
【００３５】
まず、フォーカスリングロック機構７０Ａの構成について説明する。図４に示すように、フォーカスリング３６の後端部外周にはフランジ７２Ａが形成されている。このフランジ７２Ａの外周部にはネジ穴７４Ａが形成されており、ネジ穴７４Ａは、フランジ７２Ａの後端面に形成された円弧状の凹部７６Ａに貫通して形成されている。
【００３６】
ネジ穴７４Ａにはフォーカスリングロックツマミ７８Ａのネジ部８０Ａが螺合されている。このネジ部８０Ａの先端には、先端部が拡径して形成された軸部８２Ａが形成されている。軸部８２Ａには、凹部８６Ａ内に収容されたストッパープレート８４Ａが回動自在に支持されている。このストッパープレート８４Ａは、円弧状に形成されており、図４に示すように、フランジ７２Ａの後端面から後方に向けて突出して設けられている。
【００３７】
一方、鏡筒本体１２を構成する第１鏡筒２２の後端部外周にはフランジ８６が形成されており、フランジ８６の先端面には周方向に沿って円弧状の溝８８Ａが形成されている。この溝８８Ａは、フォーカスリング３６の回動範囲に対応して形成されており、ストッパープレート８４Ａの先端部は、この溝８８Ａ内に遊嵌されている。
【００３８】
フォーカスリングロック機構７０Ａは以上のように構成される。フォーカスリング３６をロックする場合は、フォーカスリングロックツマミ７８Ａをネジ穴７４Ａから外す方向に回転させる。これにより、ストッパープレート８４Ａが溝８８Ａ内を外側に向かって移動し、図４（ｂ）に示すように、溝８８Ａの内壁面に当接する。フォーカスリング３６は、このストッパープレート８４Ａと溝８８Ａの内壁面との摩擦によりロックされる。
【００３９】
なお、ロック解除は、フォーカスリングロックツマミ７８Ａをネジ穴７４Ａに捻じ込むことにより行なう。これにより、ストッパープレート８４Ａが溝８８Ａ内を内側に向かって移動し、図４（ａ）に示すように、溝８８Ａの内壁面との接触が解除されて、ロックが解除される。
【００４０】
次に、ズームリングロック機構７０Ｂの構成について説明する。図４に示すように、ズームリング４４の外周にはフランジ７２Ｂが形成されている。このフランジ７２Ｂの外周部にはネジ穴７４Ｂが形成されており、ネジ穴７４Ｂは、フランジ７２Ｂの先端面に形成された円弧状の凹部７６Ｂに貫通して形成されている。
【００４１】
ネジ穴７４Ｂにはズームリングロックツマミ７８Ｂのネジ部８０Ｂが螺合されており、ネジ部８０Ｂの先端には、先端部が拡径して形成された軸部８２Ｂが形成されている。そして、この軸部８２Ｂには、凹部８６Ｂ内に収容されたストッパープレート８４Ｂが回動自在に支持されている。ストッパープレート８４Ｂは、円弧状に形成されており、図４に示すように、フランジ７２Ｂの先端面から前方に向けて突出して設けられている。
【００４２】
一方、鏡筒本体１２に形成されたフランジ８６の後端面には周方向に沿って円弧状の溝８８Ｂが形成されている。この溝８８Ｂはズームリング４４の回動範囲に対応して形成されており、ストッパープレート８４Ｂの先端部は、この溝８８Ｂ内に遊嵌されている。
【００４３】
ズームリングロック機構７０Ｂは以上のように構成される。ズームリング４４をロックする場合は、ズームリングロックツマミ７８Ｂをネジ穴７４Ｂから外す方向に回転させる。これにより、ストッパープレート８４Ｂがフランジ８６の内周部を外側に向かって移動し、図４（ｂ）に示すように、溝８８Ｂの内壁面に当接する。ズームリング４４は、このストッパープレート８４Ｂと溝８８Ｂの内壁面との摩擦によりロックされる。
【００４４】
なお、ロック解除は、ズームリングロックツマミ７８Ｂをネジ穴７４Ｂに捻じ込むことにより行なう。これにより、ストッパープレート８４Ｂが溝８８Ｂ内を内側に向かって移動し、図４（ａ）に示すように、溝８８Ｂの内壁面との接触が解除されて、ロックが解除される。
【００４５】
以上説明したように、本実施の形態のレンズ鏡筒においても、フォーカスリング３６とズームリング４４のロックにストッパープレート８４Ａ、８４Ｂを用いることにより、鏡筒本体１２に対して十分な接触面積を確保することができ、フォーカスリング３６とズームリング４４を確実にロックすることができる。また、鏡筒本体１２に加わる圧力を少なくでき、鏡筒本体１２の変形を防ぐことができる。さらに、ストッパープレート８４Ａ、８４Ｂは、フォーカスリングロックツマミ７８Ａとズームリングロックツマミ７８Ｂの抜け止めの作用もあり、フォーカスリングロックツマミ７８Ａとズームリングロックツマミ７８Ｂの抜け止めを別途設ける必要がない。
【００４６】
なお、本実施の形態のレンズ鏡筒のように、フォーカスリングロックツマミ７８Ａをフォーカスリング３６に設けることにより、フォーカスリング３６を回動操作する際の操作用ツマミとして使用することができる。同様にズームリングロックツマミ７８Ｂをズームリング４４に設けることにより、ズームリング４４を回動操作する際の操作用ツマミとして使用することができる。
【００４７】
なお、本実施の形態では、本発明をフォーカスリング３６とズームリング４４のロック機構に適用した例で説明したが、この他の操作リング、たとえば絞りリングのロック機構等にも適用することができる。
【００４８】
また、本実施の形態では、本発明を監視カメラのレンズ鏡筒に適用した例で説明したが、本発明の適用は、これに限られるものではなく、鏡筒本体の外周に操作リングが備えられたレンズ鏡筒全てに適用することができる。
【００４９】
【発明の効果】
以上説明したように、本発明によれば、ストッパープレートを操作リング又は鏡筒本体に形成された溝の内壁面に押し付けて操作リングをロックすることにより、十分な摩擦力を確保することができ、確実に操作リングの回転をロックすることができる。また、十分に広い面積で操作リング又は鏡筒本体と接触することにより、操作リング又は鏡筒本体に加わる力を低くでき、これにより、操作リングや鏡筒本体に生じる変形を防ぐことができる。
【図面の簡単な説明】
【図１】本発明に係るレンズ鏡筒の第１の実施の形態の構成を示す断面図
【図２】図１の２−２断面図
【図３】本発明に係るレンズ鏡筒の第１の実施の形態の要部の構成を示す断面図
【図４】本発明に係るレンズ鏡筒の第２の実施の形態の要部の構成を示す断面図
【符号の説明】
１０…レンズ鏡筒、１２…鏡筒本体、１４…フォーカスレンズ、１６…ズームレンズ、１８…アイリス、２０…アイリスメータ、２２…第１鏡筒、２４…第２鏡筒、２５…スリップ機構、２６…マウント環、２８…フォーカスレンズ枠、３０…カム部材、３２…直進溝、３４…カムピン、３６…フォーカスリング、３８…カム溝、４０…ズームレンズ枠、４２…カム部材、４３…直進溝、４４…ズームリング、４６…カムピン、４８…カム溝、５０Ａ…フォーカスリングロック機構、５０Ｂ…ズームリングロック機構、５２…フランジ、５４Ａ、５４Ｂ…ネジ穴、５６Ａ、５６Ｂ…凹部、５８Ａ…フォーカスリングロックツマミ、５８Ｂ…ズームリングロックツマミ、６０Ａ、６０Ｂ…ネジ部、６２Ａ、６２Ｂ…軸部、６４Ａ、６４Ｂ…ストッパープレート、６６Ａ、６６Ｂ…フランジ、６８Ａ、６８Ｂ…溝、７０Ａ…フォーカスリングロック機構、７０Ｂ…ズームリングロック機構、７２Ａ、７２Ｂ…フランジ、７４Ａ、７４Ｂ…ネジ穴、７６Ａ、７６Ｂ…凹部、７８Ａ…フォーカスリングロックツマミ、７８Ｂ…ズームリングロックツマミ、８０Ａ、８０Ｂ…ネジ部、８２Ａ、８２Ｂ…軸部、８４Ａ、８４Ｂ…ストッパープレート、８６…フランジ、８８Ａ、８８Ｂ…溝、Ｌ…光軸
【図１】
2004054186.tif 000003
【図２】
2004054186.tif 000004
【図３】
2004054186.tif 000005
【図４】
2004054186.tif 000006